Podtech/llm-jp-corpus-v4-ja_patent huggingface dataset:
【手続補正書】
【提出日】平成26年9月26日(2014.9.26)
【手続補正１】
【補正対象書類名】特許請求の範囲
【補正対象項目名】全文
【補正方法】変更
【補正の内容】
【特許請求の範囲】
【請求項１】
集光されてスポットでブレイクダウンを発生させるパルスレーザ光を出射するレーザ光源と、レーザ光をターゲット位置に照射させる照射光学系であってレーザ光のスポットを３次元的に移動させる移動光学系を有する照射光学系と、を備え、レーザ光によって眼球組織を切断又は破砕する眼科用レーザ手術装置において、
前記照射光学系は、
レーザ光のスポットをターゲット位置に形成するための対物レンズを有し、
前記移動光学系は、
レーザスポットのターゲット位置を、レーザ光の光軸の方向であるＺ方向に沿って移動させるＺ方向移動手段と、
レーザスポットのスポットサイズを変更するスポットサイズ変更手段とを備え、
前記眼科用レーザ手術装置はさらに、
角膜組織をレーザによって切断又は破砕する角膜手術モード、又は、水晶体組織をレーザによって切断又は破砕する水晶体手術モードを設定する手術モード設定手段と、
前記眼科用レーザ手術装置を制御する制御手段とを備え、
前記制御手段は、
前記スポットサイズ変更手段を制御することで、前記手術モード設定手段によって前記水晶体手術モードが設定された場合のレーザスポットのスポットサイズを、前記角膜手術モードが設定された場合のレーザスポットのスポットサイズよりも大きいスポットサイズとする
ことを特徴とする眼科用レーザ手術装置。
【請求項２】
請求項１に記載の眼科用レーザ手術装置であって、
前記移動光学系は、
レーザ光のスポットを光軸に対して直交するＸＹ平面上で走査する光スキャナをさらに備え、
前記制御手段は、レーザスポットのスポットサイズに対応させて、前記レーザ光源が出射するレーザ光の出力、レーザ光の繰り返し周波数、前記光スキャナの駆動速度、の少なくとも何れか一つを変更する
ことを特徴とする眼科用レーザ手術装置。
【請求項３】
請求項１又は２に記載の眼科用レーザ手術装置であって、
前記制御手段は、
水晶体後嚢から前嚢に向かって所定の位置までの領域である第１の領域に対してレーザを照射せず、
前記第１の領域よりも前嚢側の第２の領域に対しては、前記第２の領域よりも前嚢側の第３の領域に対して照射するレーザのスポットサイズよりも小さいスポットサイズでレーザを照射する
ことを特徴とする眼科用レーザ手術装置。
【手続補正２】
【補正対象書類名】明細書
【補正対象項目名】０００６
【補正方法】変更
【補正の内容】
【０００６】
本発明は、上記課題を解決するために、以下の構成を有することを特徴とする。
集光されてスポットでブレイクダウンを発生させるパルスレーザ光を出射するレーザ光源と、レーザ光をターゲット位置に照射させる照射光学系であってレーザ光のスポットを３次元的に移動させる移動光学系を有する照射光学系と、を備え、レーザ光によって眼球組織を切断又は破砕する眼科用レーザ手術装置において、前記照射光学系は、レーザ光のスポットをターゲット位置に形成するための対物レンズを有し、前記移動光学系は、レーザスポットのターゲット位置を、レーザ光の光軸の方向であるＺ方向に沿って移動させるＺ方向移動手段と、レーザスポットのスポットサイズを変更するスポットサイズ変更手段とを備え、前記眼科用レーザ手術装置はさらに、角膜組織をレーザによって切断又は破砕する角膜手術モード、又は、水晶体組織をレーザによって切断又は破砕する水晶体手術モードを設定する手術モード設定手段と、前記眼科用レーザ手術装置を制御する制御手段とを備え、前記制御手段は、前記スポットサイズ変更手段を制御することで、前記手術モード設定手段によって前記水晶体手術モードが設定された場合のレーザスポットのスポットサイズを、前記角膜手術モードが設定された場合のレーザスポットのスポットサイズよりも大きいスポットサイズとすることを特徴とする。
【手続補正書】
【提出日】平成26年8月28日(2014.8.28)
【手続補正１】
【補正対象書類名】特許請求の範囲
【補正対象項目名】請求項１
【補正方法】変更
【補正の内容】
【請求項１】
導電性弾性層を形成するための材料を芯金の外周面に被覆するためのクロスヘッドダイを有する導電性弾性ローラ製造用の装置であって、
該クロスヘッドダイは、
外側ダイと、
該外側ダイの内部に配置され、芯金を通過させる中心孔をする内側ダイと、
該外側ダイの内周面と該内側ダイの外周面とによって区画され、かつ該中心孔と同軸に配置され、該中心孔を通過する芯金の周囲に前記材料を流す環状流路と、
該環状流路に前記材料を導入するための導入口と、
を具備し、
該外側ダイには、該中心孔の軸方向に非平行な方向に延びる、該環状流路内の前記材料のウェルド部が生じる位置において該環状流路と連通するように該外側ダイの内周面に開口を生じさせてなる横孔が設けられてなり、
該横孔には、撹拌棒が挿入されており、
該攪拌棒は、該横孔の開口において該ウェルド部と接触可能であり、かつ、該環状流路を流れる材料の該開口からの漏出を防止でき、更に、該ウェルド部を攪拌するために該横孔内において回転可能である
ことを特徴とする導電性弾性ローラ製造用の装置。
【手続補正２】
【補正対象書類名】明細書
【補正対象項目名】０００１
【補正方法】変更
【補正の内容】
【０００１】
本発明は電子写真装置に用いられる導電性弾性ローラ製造用の装置及びそれを用いた導電性弾性ローラの製造方法に関する。
【手続補正３】
【補正対象書類名】明細書
【補正対象項目名】０００８
【補正方法】変更
【補正の内容】
【０００８】
しかしながら、特許文献１、及び特許文献２に係る方法では、図２に示すようにウェルドを構成する樹脂混合物を引き延ばすことができるが、撹拌が不十分なため、周方向の電気抵抗値のばらつきの低減が十分でなく、画像不良を発生させる場合があった。そこで、本発明は、ウェルドに起因する電気抵抗値のムラを抑制した導電性弾性ローラを製造するための装置及びそれを用いた導電性弾性ローラの製造方法を提供することを目的とする。
【手続補正４】
【補正対象書類名】明細書
【補正対象項目名】０００９
【補正方法】変更
【補正の内容】
【０００９】
本発明にかかる導電性弾性ローラ製造用の装置は、
導電性弾性層を形成するための材料を芯金の外周面に被覆するためのクロスヘッドダイを有する導電性弾性ローラ製造用の装置であって、
該クロスヘッドダイは、
外側ダイと、
該外側ダイの内部に配置され、芯金を通過させる中心孔をする内側ダイと、
該外側ダイの内周面と該内側ダイの外周面とによって区画され、かつ該中心孔と同軸に配置され、該中心孔を通過する芯金の周囲に前記材料を流す環状流路と、
該環状流路に前記材料を導入するための導入口と、
を具備し、
該外側ダイには、該中心孔の軸方向に非平行な方向に延びる、該環状流路内の前記材料のウェルド部が生じる位置において該環状流路と連通するように該外側ダイの内周面に開口を生じさせてなる横孔が設けられてなり、
該横孔には、撹拌棒が挿入されており、
該攪拌棒は、該横孔の開口において該ウェルド部と接触可能であり、かつ、該環状流路を流れる材料の該開口からの漏出を防止でき、更に、該ウェルド部を攪拌するために該横孔内において回転可能である
ことを特徴とする導電性弾性ローラ製造用の装置である。
【手続補正５】
【補正対象書類名】明細書
【補正対象項目名】００４４
【補正方法】変更
【補正の内容】
【００４４】
〔実施例２〕
攪拌棒を突出率ｃが４０％となるように配置した以外は実施例１と同様にして、導電性弾性ローラを得た。
〔実施例３〕
攪拌棒を突出率ｃが６０％となるように配置した以外は実施例１と同様にして、導電性弾性ローラを得た。
〔実施例４〕
攪拌棒を、環状流路を流れる樹脂混合物の流れと逆方向に回転させた以外は実施例１と同様にして導電性弾性ローラを得た。
〔実施例５〕
実施例１で用いた攪拌棒を図７に示すような溝付きの撹拌棒に変更した。ウェルドと接触位置から攪拌棒の両端部に向けて長さｉが９ｍｍの溝を配置した。溝形状は曲率半径ｊが３ｍｍの円弧形状、溝深さ率ｇを６０％とし、溝の数を４、溝角度ｈを４５°とした。それ以外は実施例４と同様にして導電性弾性ローラを得た。
【手続補正６】
【補正対象書類名】明細書
【補正対象項目名】００４７
【補正方法】変更
【補正の内容】
【００４７】
上述の実施例１〜５、比較例１で得られた導電性弾性ローラについて周方向の電気抵抗値のばらつき測定を実施した。
〈電気抵抗値のばらつきの測定〉
図９に示す電子写真用導電性部材の電気抵抗測定装置を用いて導電性弾性ローラの周方向電気抵抗値のばらつきを測定した。導電性弾性ローラは円柱状のステンレスドラム２１に圧接され、ステンレスドラム２１の回転駆動に伴い従動回転する。この状態で、電子写真用導電性部材（導電性弾性ローラ）の芯金２に外部電源２３を用いて直流電圧を印加し、ステンレスドラム２１に直列に接続した基準抵抗２２にかかる電圧から、導電性弾性ローラの電気抵抗を計算した。ステンレスドラムの直径は３０ｍｍ、回転数は３０ｒｐｍで行う。直流電源には小型電源ＰＬ−６５０−０．１（松定プレシジョン社製商品名）を、電圧計にはデジタルマルチメーターフルーク（フルーク製商品名）を使用した。
【手続補正７】
【補正対象書類名】明細書
【補正対象項目名】００５４
【補正方法】変更
【補正の内容】
【００５４】
１‥‥導電性弾性ローラ
２‥‥芯金
３‥‥導電性弾性層
４‥‥ウェルド
５‥‥押出し機
６‥‥内側ダイ
７‥‥外側ダイ
８‥‥環状流路
９‥‥クロスヘッドダイ
１０‥‥円形状ダイリップ
１１‥‥投入口
１２‥‥樹脂混合物
１３‥‥シリンダ
１４‥‥スクリュ
１５‥‥シリンダ出口
１６‥‥ブレーカプレート
１７‥‥材料導入口
１８‥‥横孔
１９‥‥攪拌棒
２０‥‥中心孔
２１‥‥ステンレスドラム
２２‥‥基準抵抗
２３‥‥外部電源
２４‥‥円筒回転体
【手続補正８】
【補正対象書類名】図面
【補正対象項目名】図３
【補正方法】変更
【補正の内容】
【図３】
2013078921.tif 000001
【手続補正書】
【提出日】平成26年5月2日(2014.5.2)
【手続補正１】
【補正対象書類名】特許請求の範囲
【補正対象項目名】全文
【補正方法】変更
【補正の内容】
【特許請求の範囲】
【請求項１】
折り紙、布等の裁断対象物に当てる四角形の盤の中に、大きさの異なる複数の四角形の３辺または４辺がスリットで形成され、複数の四角形のスリットは、小さい四角形のスリットの外側を大きい四角形のスリットが順次取り囲むように配置され、各々の四角形の３辺のスリットは互いに連続すると共に、複数の四角形の上記連続する３辺のスリットは全て同じ向きに配置され、上記スリットに沿って線引き、裁断が出来ることを特徴とする定規。
【請求項２】
複数の四角形の４辺がスリットで形成されていて、４辺のスリットのうち連続する３辺のスリットを除く残りの１辺のスリットは、両端が隣接する辺のスリットから分離した状態に形成されていることを特徴とする請求項１に記載の定規。
【請求項３】
裁断対象物を乗せるための下敷きパッドを有することを特徴とする請求項１または２に記載の定規。
【手続補正書】
【提出日】平成26年9月18日(2014.9.18)
【手続補正１】
【補正対象書類名】特許請求の範囲
【補正対象項目名】全文
【補正方法】変更
【補正の内容】
【特許請求の範囲】
【請求項１】
原稿の画像を読み取る画像読取装置と、前記画像読取装置を制御する制御装置とを備えた画像読取システムであって、
原稿を搬送路に沿って搬送する搬送手段と、
前記画像読取装置における前記搬送路の途中に設けられ且つ原稿の厚みに応じて前記搬送路から離れる方向に移動可能に設けられ、前記搬送路に沿って搬送される原稿の画像を読み取る画像読取手段を有する画像読取ユニットと、
前記画像読取手段で読み取った原稿の画像データに所定の処理を施す画像処理手段とを備え、
前記画像処理手段は、原稿の先端が前記画像読取ユニットの手前に位置するタイミングで読み取った第１領域と、前記画像読取ユニットの端部に原稿が接触して前記画像読取ユニットが前記搬送路から離れる方向に移動しながら前記画像読取センサの読取位置に原稿が到達するまでの間に読み取った第２領域と、前記画像読取センサの読取位置に原稿が対向する間に読み取った第３領域とを有する画像データから、前記第２領域と前記第３領域との境界を原稿領域とそれ以外の背景領域との境界部分として検出する
ことを特徴とする画像読取システム。
【請求項２】
前記画像処理手段は、原稿の画像データに含まれる原稿領域とそれ以外の背景領域との境界に基づいて原稿サイズ検出を行うことを特徴とする請求項１に記載の画像読取システム。
【請求項３】
前記画像処理手段は、原稿の画像データに含まれる原稿領域とそれ以外の背景領域との濃度変化の微分情報に基づいて前記原稿領域と前記背景領域との境界座標を取得して原稿サイズ検知を行うことを特徴とする請求項２記載の画像読取システム。
【請求項４】
前記画像処理手段が前記原稿領域と前記背景領域との境界座標を取得して原稿サイズ検知を行うに際し、前記変更手段が原稿の厚みに応じて濃度変化の微分閾値を変更することを特徴とする請求項３記載の画像読取システム。
【請求項５】
前記画像処理手段が原稿の画像データに含まれる原稿領域とそれ以外の背景領域との境界座標を取得して原稿サイズ検知を行うに際し、前記変更手段が原稿の厚みに応じて原稿領域の外側に付与するマージン量を変更することを特徴とする請求項２記載の画像読取システム。
【請求項６】
前記画像読取装置は、前記搬送手段と、前記画像読取手段と、第１原稿が導入される導入口と、前記第１原稿が排出される排出口とを備え、
前記搬送手段は、前記第１原稿を前記導入口から前記排出口へ搬送する一方、前記第１原稿よりも厚手の第２原稿の画像を前記画像読取手段によって読み取るために、前記排出口から導入される前記第２原稿を前記画像読取手段に向けて搬送することを特徴とする請求項１乃至５のいずれか１項に記載の画像読取システム。
【請求項７】
前記第１原稿の画像を読み取った後に前記第２原稿の画像を読み取るに際し、
前記変更手段は、前記第１原稿を読み取った第１原稿画像に対応する所定の第１画像処理条件を、前記第２原稿を読み取った第２原稿画像に対応する所定の第２画像処理条件とすることを特徴とする請求項６記載の画像読取装置。
【請求項８】
搬送路に沿って搬送される原稿の厚さに応じて前記搬送路から離れる方向に移動可能となる画像読取ユニット内の画像読取手段によって読み取った原稿の画像データから原稿サイズを検出する原稿サイズ検出手段を備え、前記原稿サイズ検出手段は、原稿の画像領域に対応する原稿領域と、前記原稿領域に続く第１濃度の第１背景領域と、前記第１背景領域に続く領域であって前記第１濃度と異なる第２濃度の第２背景領域とを含む画像データにおいて、前記原稿領域とこれに続く前記第１背景領域との境界部分を特定して原稿サイズを検出することを特徴とする原稿サイズ検出装置。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
レンズ部を介して得られた被写体像の画像データを生成する撮像部と、
前記撮像部が生成した前記画像データに対応する画像を表示する第１の表示部と、
前記第１の表示部が表示する前記画像の一部の領域を指定する入力を受け付ける入力部と、
前記入力部が入力を継続して受け付けた前記領域に対応する指定画像を前記第１の表示部とは異なる表示部に表示させる表示制御部と、
を備えたことを特徴とする撮像装置。
【請求項２】
前記画像データに対応する画像を表示可能な接眼部をさらに備え、
前記表示制御部は、前記指定画像を前記接眼部に表示させることを特徴とする請求項１に記載の撮像装置。
【請求項３】
前記指定画像の表示態様に関するパラメータを変更するパラメータ変更部をさらに備え、
前記表示制御部は、前記パラメータ変更部が変更した前記指定画像を前記接眼部に表示させることを特徴とする請求項２に記載の撮像装置。
【請求項４】
前記入力部が入力を受け付けた前記領域を前記画像から切出してトリミング画像を生成するトリミング部をさらに備え、
前記表示制御部は、前記トリミング部が生成した前記トリミング画像を前記指定画像として前記接眼部に表示させることを特徴とする請求項３に記載の撮像装置。
【請求項５】
前記入力部は、前記第１の表示部の表示画面上に設けられ、外部からの物体のタッチを検出し、検出したタッチ位置に応じた位置信号を出力するタッチパネルを有し、
前記パラメータ変更部は、前記タッチパネルから出力される前記位置信号に応じて、前記トリミング画像の表示態様に関するパラメータを変更することを特徴とする請求項４に記載の撮像装置。
【請求項６】
前記パラメータは、少なくとも前記トリミング画像に含まれる前記被写体像のピント状態、前記トリミング画像に含まれる前記被写体像の表示倍率、前記トリミング画像の表示領域サイズ、前記トリミング部が前記画像から切出すトリミング領域および前記トリミング画像の輝度情報のいずれか一つ以上であることを特徴とする請求項５に記載の撮像装置。
【請求項７】
前記レンズ部は、前記被写体像に対するピントを調整するフォーカスレンズを有し、
前記入力部は、前記フォーカスレンズを駆動する駆動信号の入力を受け付ける操作部を有することを特徴とする請求項６に記載の撮像装置。
【請求項８】
前記操作部は、前記レンズ部に設置されていることを特徴とする請求項７に記載の撮像装置。
【請求項９】
レンズ部を介して得られた被写体像の画像データを生成する撮像部と、前記撮像部が生成した前記画像データに対応する画像を表示する第１の表示部と、を備えた撮像装置が実行する撮像方法であって、
前記第１の表示部が表示する前記画像の一部の領域を指定する入力を受け付ける入力ステップと、
前記入力ステップで継続して入力を受け付けた前記領域に対応する指定画像を異なる表示部に表示させる表示制御ステップと、
を含むことを特徴とする撮像方法。
【請求項１０】
レンズ部を介して得られた被写体像の画像データを生成する撮像部と、前記撮像部が生成した前記画像データに対応する画像を表示する第１の表示部と、を備えた撮像装置に実行させるプログラムであって、
前記第１の表示部が表示する前記画像の一部の領域を指定する入力を受け付ける入力ステップと、
前記入力ステップで継続して入力を受け付けた前記領域に対応する指定画像を異なる表示部に表示させる表示制御ステップと、
を実行させることを特徴とするプログラム。
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
操作部を有するレンズ部を介して得られた被写体像の画像データを生成する撮像部と、
被写体と対向する背面側に設けられ、前記撮像部が生成した前記画像データに対応する画像を表示する表示部と、
前記表示部の表示画面上に設けられ、外部からの物体のタッチを検出し、検出したタッチ位置に応じた位置信号を出力するタッチパネルと、
前記タッチ位置が継続されている場合、前記タッチパネルが出力した前記位置信号に基づいて、前記画像から前記タッチパネル上の前記タッチ位置を含む領域を切出して前記操作部の操作を補助するためのトリミング画像を生成するトリミング部と、
前記トリミング部が生成した前記トリミング画像を前記画像の前記タッチ位置と異なる位置に重畳して前記表示部に表示させるとともに、前記タッチパネルが出力する前記位置信号の変化に応じて、前記トリミング画像の表示態様を制御する表示制御部と、
を備えたことを特徴とする撮像装置。
【請求項２】
前記タッチパネルが出力する前記位置信号に基づいて、前記トリミング画像の表示態様に関するパラメータを変更するパラメータ変更部をさらに備え、
前記表示制御部は、前記パラメータ変更部が前記パラメータを変更した前記トリミング画像を前記表示部に表示させることを特徴とする請求項１に記載の撮像装置。
【請求項３】
前記パラメータは、少なくとも前記トリミング画像に含まれる前記被写体像のピント状態、前記トリミング画像に含まれる前記被写体像の表示倍率、前記トリミング画像の表示領域サイズ、前記トリミング部が前記画像から切出すトリミング領域および前記トリミング画像の明るさ情報のいずれか一つ以上であることを特徴とする請求項２に記載の撮像装置。
【請求項４】
前記レンズ部は、
前記被写体像に対するピントを調整するフォーカスレンズを有し、
前記操作部は、前記フォーカスレンズを駆動する駆動信号の入力を受け付けることを特徴とする請求項３に記載の撮像装置。
【請求項５】
操作部を有するレンズ部を介して得られた被写体像の画像データを生成する撮像部と、被写体と対向する背面側に設けられ、前記撮像部が生成した前記画像データに対応する画像を表示する表示部と、前記表示部の表示画面上に設けられ、外部からの物体のタッチを検出し、検出したタッチ位置に応じた位置信号を出力するタッチパネルと、を備えた撮像装置が実行する撮像方法であって、
前記タッチ位置が継続されている場合、前記タッチパネルが出力した前記位置信号に基づいて、前記画像から前記タッチパネル上の前記タッチ位置を含む領域を切出して前記操作部の操作を補助するためのトリミング画像を生成するトリミングステップと、
前記トリミングステップで生成した前記トリミング画像を前記画像に重畳して前記表示部に表示させるとともに、前記タッチパネルが出力する前記位置信号の変化に応じて、前記トリミング画像の表示態様を制御する表示制御ステップと、
を含むことを特徴とする撮像方法。
【請求項６】
操作部を有するレンズ部を介して得られた被写体像の画像データを生成する撮像部と、被写体と対向する背面側に設けられ、前記撮像部が生成した前記画像データに対応する画像を表示する表示部と、前記表示部の表示画面上に設けられ、外部からの物体のタッチを検出し、検出したタッチ位置に応じた位置信号を出力するタッチパネルと、を備えた撮像装置に実行させるプログラムであって、
前記タッチ位置が継続されている場合、前記タッチパネルが出力した前記位置信号に基づいて、前記画像から前記タッチパネル上の前記タッチ位置を含む領域を切出して前記操作部の操作を補助するためのトリミング画像を生成するトリミングステップと、
前記トリミングステップで生成した前記トリミング画像を前記画像に重畳して前記表示部に表示させるとともに、前記タッチパネルが出力する前記位置信号の変化に応じて、前記操作部の操作を補助するために前記トリミング画像の表示態様を制御する表示制御ステップと、
を実行させることを特徴とするプログラム。
【手続補正書】
【提出日】平成26年9月22日(2014.9.22)
【手続補正１】
【補正対象書類名】明細書
【補正対象項目名】００１３
【補正方法】変更
【補正の内容】
【００１３】
上記目的を達成するために、本発明の撮像装置は、画像信号の生成以外の目的に用いる第１の画素と、画像信号の生成に用いる第２の画素と、をそれぞれ複数有する撮像素子と、前記第１の画素から出力された信号に補間処理を行う信号処理手段とを有し、前記第１の画素は、前記撮像素子上の第１の領域に含まれ、前記信号処理手段は、前記第１の領域における前記第１の画素の配置に基づくパターンを用いて、前記第１の領域外における前記第２の画素から出力された信号に前記補間処理を行う。
【手続補正２】
【補正対象書類名】明細書
【補正対象項目名】００２５
【補正方法】変更
【補正の内容】
【００２５】
図２は、本発明の実施の形態における撮像素子１０７の構成を示すブロック図である。なお、図２は、後述の読み出し動作が説明できる最低限の構成を示しており、画素リセット信号などが省略されている。図２において、光電変換部２０１は、フォトダイオード、画素アンプ、リセット用のスイッチなどで構成されており、ｍ列×ｎ行の光電変換部が２次元状に配置されている。
【手続補正３】
【補正対象書類名】特許請求の範囲
【補正対象項目名】全文
【補正方法】変更
【補正の内容】
【特許請求の範囲】
【請求項１】
画像信号の生成以外の目的に用いる第１の画素と、画像信号の生成に用いる第２の画素と、をそれぞれ複数有する撮像素子と、
前記第１の画素から出力された信号に補間処理を行う信号処理手段とを有し、
前記第１の画素は、前記撮像素子上の第１の領域に含まれ、前記信号処理手段は、前記第１の領域における前記第１の画素の配置に基づくパターンを用いて、前記第１の領域外における前記第２の画素から出力された信号に前記補間処理を行うことを特徴とする撮像装置。
【請求項２】
前記信号処理手段により前記第１の領域外における前記第２の画素から出力された信号に前記補間処理を行う第１のモードと、前記信号処理手段により前記第１の領域外における前記第２の画素から出力された信号に前記補間処理を行わない第２のモードを有することを特徴とする請求項１に記載の撮像装置。
【請求項３】
前記撮像素子から信号を読み出す読み出し手段を有し、
前記信号処理手段は、前記読み出し手段により読み出された信号のうち、前記第１の画素から出力された信号の含まれる比率が第１の比率の場合に前記第１のモードを実行し、前記第１の画素から出力された信号の含まれる比率が前記第１の比率より低い第２の比率の場合に前記第２のモードを実行することを特徴とする請求項２に記載の撮像装置。
【請求項４】
前記撮像素子から信号を読み出す読み出し手段を有し、
前記信号処理手段は、前記読み出し手段が前記撮像素子から画素を間引いて信号を読み出す場合、前記第１のモードを実行し、前記読み出し手段が前記撮像素子から画素を間引かずに信号を読み出す場合、前記第２のモードを実行することを特徴とする請求項２に記載の撮像装置。
【請求項５】
前記撮像素子から信号を読み出す読み出し手段を有し、
前記信号処理手段は、前記読み出し手段が前記撮像素子から第３の比率で画素を間引いて信号を読み出す場合、前記第１のモードを実行し、前記読み出し手段が前記撮像素子から前記第３の比率より低い第４の比率で画素を間引いて信号を読み出す場合、前記第２のモードを実行することを特徴とする請求項２に記載の撮像装置。
【請求項６】
前記第１の画素は、撮影光学系の射出瞳の異なる領域を通った光束をそれぞれ独立に受光して得られた信号を出力する焦点検出用画素であることを特徴とする請求項１乃至５のいずれか１項に記載の撮像装置。
【請求項７】
前記第１の画素から出力された信号に基づく一対の像信号の位相差を検出する検出手段と、
前記検出手段の検出結果に基づいて、前記撮影光学系の位置を制御する制御手段と
を有することを特徴とする請求項６に記載の撮像装置。
【請求項８】
前記撮像素子は、前記第１の領域より外側の領域であって、前記第１の領域より前記第１の画素の含まれる比率が低い第２の領域を有することを特徴とする請求項１乃至７のいずれか１項に記載の撮像装置。
【請求項９】
前記撮像素子の各画素はカラーフィルタにより覆われており、前記第１の画素は、前記カラーフィルタの配列において色情報を取得するための画素と置き換えられて配置されていることを特徴とする請求項１乃至８のいずれか１項に記載の撮像装置。
【請求項１０】
画像信号の生成以外の目的に用いる第１の画素と、画像信号の生成に用いる第２の画素と、をそれぞれ複数有する撮像素子から得られた信号を処理する画像処理方法であって、前記第１の画素は、前記撮像素子上の第１の領域に含まれ、
前記第１の画素から出力された信号に補間処理を行う工程と、
前記第１の領域における前記第１の画素の配置に基づくパターンを用いて、前記第１の領域外における前記第２の画素から出力された信号に前記補間処理を行う工程と
を有することを特徴とする画像処理方法。
【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
被写体を撮像して画像データを生成する撮像手段と、
前記画像データに基づいて、前記被写体の光源色を判定する判定手段と、
前記画像データに基づいて、前記画像データにおける複数の領域の測光値を算出する算出手段と、
前記判定手段により判定された光源色に基づいて、前記画像データにおいて特定の色の被写体が含まれる領域を検出する第１検出手段と、
前記判定手段による判定とは無関係に予め定められた光源色に基づいて、前記画像データにおいて前記特定の色の被写体が含まれる領域を検出する第２検出手段と、
前記算出手段の算出結果、前記第１検出手段の検出結果、及び前記第２検出手段の検出結果に基づいて、露出制御を行う制御手段と、を備える
ことを特徴とする撮像装置。
【請求項２】
前記制御手段は、前記算出手段の算出結果、前記第１検出手段の検出結果、及び前記第２検出手段の検出結果に基づいて前記複数の領域それぞれに対する重み付け係数を算出し、当該重み付け係数を用いて前記複数の領域の測光値を加重演算して露出制御を行うことを特徴とする請求項１に記載の撮像装置。
【請求項３】
前記制御手段は、前記予め定められた光源色が前記被写体の光源色である可能性が高いほど、前記第２検出手段で検出された領域に対する重み付け係数を大きくすることを特徴とする請求項２に記載の撮像装置。
【請求項４】
前記制御手段は、前記算出手段の算出結果に基づいて、前記予め定められた光源色が前記被写体の光源色である可能性を判断することを特徴とする請求項３に記載の撮像装置。
【請求項５】
前記制御手段は、前記第１検出手段の検出結果、及び前記第２検出手段の検出結果に基づいて前記特定の色の被写体が含まれる領域の測光値を補正し、測光値が補正された領域については補正後の測光値を加重演算に用いることを特徴とする請求項２乃至４のいずれか１項に記載の撮像装置。
【請求項６】
前記特定の色は複数種類の色を含んでおり、
前記制御手段は、色の種類に応じて測光値に対する補正量を異ならせることを特徴とする請求項５に記載の撮像装置。
【請求項７】
前記制御手段は、前記算出手段の算出結果に基づいて、測光値に対する補正量を算出することを特徴とする請求項５に記載の撮像装置。
【請求項８】
被写体を撮像して画像データを生成する撮像手段を備える撮像装置の制御方法であって、
前記撮像装置の判定手段が、前記画像データに基づいて、前記被写体の光源色を判定する判定工程と、
前記撮像装置の算出手段が、前記画像データに基づいて、前記画像データにおける複数の領域の測光値を算出する算出工程と、
前記撮像装置の第１検出手段が、前記判定工程により判定された光源色に基づいて、前記画像データにおいて特定の色の被写体が含まれる領域を検出する第１検出工程と、
前記撮像装置の第２検出手段が、前記判定工程による判定とは無関係に予め定められた光源色に基づいて、前記画像データにおいて前記特定の色の被写体が含まれる領域を検出する第２検出工程と、
前記撮像装置の制御手段が、前記算出工程の算出結果、前記第１検出工程の検出結果、及び前記第２検出工程の検出結果に基づいて、露出制御を行う制御工程と、を備える
ことを特徴とする制御方法。
【請求項９】
コンピュータに、請求項８に記載の制御方法の各工程を実行させるためのプログラム。
【手続補正２】
【補正対象書類名】明細書
【補正対象項目名】０００８
【補正方法】変更
【補正の内容】
【０００８】
上記課題を解決するために、第１の本発明は、被写体を撮像して画像データを生成する撮像手段と、前記画像データに基づいて、前記被写体の光源色を判定する判定手段と、前記画像データに基づいて、前記画像データにおける複数の領域の測光値を算出する算出手段と、前記判定手段により判定された光源色に基づいて、前記画像データにおいて特定の色の被写体が含まれる領域を検出する第１検出手段と、前記判定手段による判定とは無関係に予め定められた光源色に基づいて、前記画像データにおいて前記特定の色の被写体が含まれる領域を検出する第２検出手段と、前記算出手段の算出結果、前記第１検出手段の検出結果、及び前記第２検出手段の検出結果に基づいて、露出制御を行う制御手段と、を備えることを特徴とする撮像装置を提供する。
【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
異なる視点から撮影した複数の視点画像を符号化する画像符号化装置であって、
前記複数の視点画像の視差値を算出するためのパラメータに対応する情報を符号化する情報符号化部と、
前記複数の視点画像に対応する少なくとも１つ以上の奥行き画像と前記情報に基づいて視差情報を生成する視差情報生成部と、
符号化を行う視点画像に関して、異なる視点画像に対する予測ベクトルを、符号化対象ブロックに隣接する周辺ブロックの視差ベクトルに基づいて生成し、該予測ベクトルを用いて視点間予測符号化方式によって符号化を行う画像符号化部とを備え、
前記画像符号化部は、前記周辺ブロックにおいて、符号化対象ブロックの予測ベクトル生成に必要な情報が得られないブロックに対して、前記視差情報に基づいて視差ベクトルを決定することを特徴とする画像符号化装置。
【請求項２】
前記奥行き画像を符号化する奥行き画像符号化部を更に備えることを特徴とする、請求
項１に記載の画像符号化装置。
【請求項３】
異なる視点から撮影した複数の視点画像を復号する画像復号装置であって、
前記複数の視点画像の視差値を算出するためのパラメータに対応する情報を復号する情報復号部と、
前記複数の視点画像に対応する少なくとも１つ以上の奥行き画像と前記情報に基づいて、視差情報を生成する視差情報生成部と、
復号する視点画像に関して、異なる視点画像に対する予測ベクトルを、復号対象ブロックに隣接する周辺ブロックの視差ベクトルに基づいて生成し、該予測ベクトルを用いて視点間予測復号方式によって復号を行う画像復号部と、を備え、
前記画像復号部は、前記周辺ブロックにおいて、復号対象ブロックの予測ベクトル生成に必要な情報が得られないブロックに対して、前記視差情報に基づいて視差ベクトルを決定することを特徴とする画像復号装置。
【請求項４】
前記奥行き画像は符号化されており、
前記画像復号装置は、前記奥行き画像を復号する奥行き画像復号部を更に備えることを特徴とする、請求項３に記載の画像復号装置。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
第１の配送伝票片及び第２の配送伝票片を有し、これらの裏面に台紙が貼付された配送伝票であって、
前記第１の配送伝票片は、表面に第１の情報が記載される第１の領域と、前記第１の領域を取り囲むように配置されて裏面に接着剤が塗布された第２の領域とを有し、
前記第２の配送伝票片は、前記第１の配送伝票片の一側と隣接し、隣接方向である第１の方向で隣接部分から前記第１の領域までの幅より幅広であり、当該第１の方向と直交する第２の方向で前記第１の領域より内側に位置すると共に、前記第１の配送伝票の裏面と裏面同士で折り畳まれたときに前記第２の領域の裏面に塗布された隣接部分側の前記接着剤を露出させる窓部を有する第３の領域と、表面に第２の情報が記載される当該第３の領域とミシン目を介して設けられた第４の領域とを有することを特徴とする配送伝票。
【請求項２】
請求項１に記載の配送伝票であって、
前記窓部は、前記第１の配送伝票片と前記第２の配送伝票片との境側に向けて幅広となる形状である配送伝票。
【請求項３】
請求項１又は２に記載の配送伝票であって、
前記窓部の一側の終縁は、前記第１の配送伝票片と前記第２の配送伝票片との境まで及ぶ配送伝票。
【手続補正２】
【補正対象書類名】明細書
【補正対象項目名】００１０
【補正方法】変更
【補正の内容】
【００１０】
第１の配送伝票片は、表面に第１の情報が記載される第１の領域と、前記第１の領域を取り囲むように配置されて裏面に接着剤が塗布された第２の領域とを有する。
【手続補正３】
【補正対象書類名】明細書
【補正対象項目名】００１１
【補正方法】変更
【補正の内容】
【００１１】
第２の配送伝票片は、前記第１の配送伝票片の一側と隣接し、隣接方向である第１の方向で隣接部分から前記第１の領域までの幅より幅広であり、当該第１の方向と直交する第２の方向で前記第１の領域より内側に位置すると共に、前記第１の配送伝票の裏面と裏面同士で折り畳まれたときに前記接着剤を露出させる所定形状の窓部を当該第２の方向に所定数有する第３の領域と、表面に第２の情報が記載されるものとして当該第３の領域とミシン目を介して設けられる第４の領域とを有する。
【手続補正４】
【補正対象書類名】明細書
【補正対象項目名】００１２
【補正方法】変更
【補正の内容】
【００１２】
本発明では、第３の領域に窓部を有することで、第１の領域及び第４の領域の外周のほぼ全周にわたって、第２の領域の裏面が商品などに貼付される。つまり、当該配送伝票が商品などに貼付された状態では、第４の領域の表面に記載された情報は、常に第１の配送伝票片によって実質的に密封される。従って、部分的な密封のし忘れをするということはなくなり、また第４の領域の表面に記載された情報を得るためには第１の配送伝票片のうち少なくとも第１の領域を剥がさなければならないことから、ひそかにこの情報を得ることができず、秘匿性が要求される情報の流出を防止することができる。しかも、第４の領域の表面は第１の配送伝票片側ではなく、商品側を向いているので、商品などに貼付された配送伝票の表面から第４の領域の表面に記載された情報を読み取ることは困難である。
【手続補正５】
【補正対象書類名】明細書
【補正対象項目名】００１４
【補正方法】変更
【補正の内容】
【００１４】
折り畳み前のこの配送伝票は、第１の情報を記載する第１の領域の表面と第２の情報を記載する第４の領域の表面が同一の側にあることから、これらの情報を一度にプリントすることができる。
【手続補正６】
【補正対象書類名】明細書
【補正対象項目名】００１７
【補正方法】変更
【補正の内容】
【００１７】
本発明に係る配送伝票は、商品に貼付される前は、接着剤が塗布された面が剥離層を有する台紙に貼付されている。従って、本発明の別の観点に係る台紙付き配送伝票は、（Ａ）表面に第１の情報が記載される第１の領域と、前記第１の領域を取り囲むように裏面に接着剤が塗布された第２の領域と、前記第２の領域の一側と隣接し、当該隣接する方向である第１の方向で隣接部分から前記第１の領域までの幅より幅広で、前記第１の方向と直交する第２の方向に対して前記第１の領域より内側に位置し、かつ、前記第１の配送伝票の裏面と裏面同士で折り畳まれたときに前記接着剤を露出させる所定形状の窓部を当該第２の方向に所定数有する第３の領域と、表面に第２の情報が記載されるものとして当該第３の領域とミシン目を介して設けられる第４の領域とを有する配送伝票と、（Ｂ）前記配送伝票の裏面に貼付された剥離層を有する台紙とを具備する。
【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
記録媒体の搬送方向に対して、直交方向に複数のノズルが並べて備えられるフルライン型のインクジェットヘッドと、
前記記録媒体を搬送する記録媒体搬送手段と、
前記インクジェットヘッドと前記記録媒体とを、前記記録媒体の搬送方向と直交方向に相対的に移動させる移動手段と、を備え、
前記インクジェットヘッドのノズル幅は、前記記録媒体の描画領域幅よりも広く、
前記ノズルが使用されないことにより吐出状態が悪化する可能性がある時間をＴ＿Ｌｉｍｉｔとした時、前記記録媒体の描画領域幅、画像形成枚数を基にＴ＿Ｌｉｍｉｔ内に、前記インクジェットヘッドの前記ノズルの全てが、前記記録媒体上を通過するように前記移動手段を制御する制御部と、を有する液滴吐出装置。
【請求項２】
それぞれの前記ノズルが、前記記録媒体上を通過するときに、前記記録媒体の前記描画領域以外の箇所に少なくとも５０回予備吐出を行う請求項１に記載の液滴吐出装置。
【請求項３】
前記インクジェットヘッドを配置する種類は、前記ノズル幅の長さを前記描画領域幅で割った商に１を足した数の種類を少なくとも配置する請求項１又は２に記載の液滴吐出装置。
【請求項４】
画像形成中で、前記記録媒体に前記インクジェットヘッドから打滴していない時間に、前記インクジェットヘッドを移動させる請求項１から３のいずれか１項に記載の液滴吐出装置。
【請求項５】
前記記録媒体に前記インクジェットヘッドから打滴していない時間は、記録媒体に画像形成が終了してから、次の記録媒体への画像形成を開始するまでの時間である請求項４に記載の液滴吐出装置。
【請求項６】
前記インクジェットヘッドの移動頻度は、非駆動ノズルの数、前記打滴していない時間に前記インクジェットヘッドが移動できる移動量、必要な移動回数、前記Ｔ＿Ｌｉｍｉｔに応じて決定する配置決定部を備える請求項４または５に記載の液滴吐出装置。
【請求項７】
画像形成に不適切なノズルである不良ノズルを検知する検知手段を備え、
前記配置決定部は、前記不良ノズルが配置される位置により、形成される画像に品質の低下が生じる場合は、前記不良ノズルが配置される位置に前記インクジェットヘッドを配置しないように決定する請求項６に記載の液滴吐出装置。
【請求項８】
画像形成に不適切なノズルである不良ノズルを検知する検知手段と、
前記不良ノズルが配置される位置により、形成される画像に品質の低下が生じる場合は、前記不良ノズルが配置される位置の周囲で、前記画像に影響を与えない位置を検出する検出手段と、を備え、
前記配置決定部は、前記検出手段により検出された位置で画像形成を行うように前記インクジェットヘッドを配置させる請求項６に記載の液滴吐出装置。
【請求項９】
前記不良ノズルが配置される位置と、形成される前記画像の位置関係の全パターンを計算する計算部と、を備え、
前記配置決定部は、前記不良ノズルが画像に影響を与える可能性が低い位置であり、かつ、所定の移動量内で前記インクジェットヘッドを配置させる請求項８に記載の液滴吐出装置。
【請求項１０】
前記インクジェットヘッドで吐出するインク組成物中にラテックスを含有する請求項１から９のいずれか１項に記載の液滴吐出装置。
【請求項１１】
前記ノズルのダミージェットできないノズルには、予備波形を入れない請求項１から１０のいずれか１項に記載の液滴吐出装置。
【請求項１２】
前記インクジェットヘッド内の圧力室内のインクを循環する循環流路を備えることを特徴とする請求項１から１１のいずれか１項に記載の液滴吐出装置。
【請求項１３】
前記インクジェットヘッドをメンテナンスするメンテナンス部を、前記記録媒体に画像を形成する印字部の前記記録媒体の搬送方向と直交方向に備え、
画像形成開始時は、前記記録媒体の描画領域端部と、前記インクジェットヘッドのノズル幅の端部と、前記メンテナンス部側で同じ位置にある請求項１から１２のいずれか１項に記載の液滴吐出装置。
【請求項１４】
プリント枚数、記録媒体の種類、ノズルの吐出状態が悪化する可能性のある時間Ｔ＿Ｌｉｍｉｔを入力する情報入力工程と、
インクジェットヘッドのノズル幅と、前記記録媒体の描画領域幅と、から前記インクジェットヘッドの配置を決定するインクジェットヘッド位置決定工程と、
前記Ｔ＿Ｌｉｍｉｔの時間内に、前記インクジェットヘッドのすべてのノズルが、前記記録媒体上を通過するように、前記インクジェットヘッドを移動するインクジェットヘッド移動工程と、
前記インクジェットヘッドのすべてのノズルが前記記録媒体上で画像形成またはダミージェットを行う画像形成工程と、を有する液滴吐出方法。
【請求項１５】
前記インクジェットヘッド位置決定工程は、前記記録媒体同士の画像形成の間に移動できる時間により決定され、
それぞれの前記インクジェットヘッドの位置で、画像形成時間を決定する画像形成時間決定工程を有する請求項１４に記載の液滴吐出方法。
【請求項１６】
前記インクジェットヘッド位置決定工程の前に、前記インクジェットヘッドに設けられたノズルの不良ノズルを検知する不良ノズル検知工程を有し、
前記インクジェットヘッド位置決定工程は、前記不良ノズルを使用して形成される画像が所望の画像を形成するか判断し、前記所望の画像が形成されない場合は、その位置の前記インクジェットヘッドを移動させないようにする請求項１５に記載の液滴吐出方法。
【請求項１７】
前記インクジェットヘッド位置決定工程の前に、前記インクジェットヘッドに設けられたノズルの不良ノズルを検知する不良ノズル検知工程を有し、
前記インクジェットヘッド位置決定工程は、前記不良ノズルを使用して形成される画像が所望の画像を形成するか判断し、前記所望の画像が形成されない場合は、その位置の周辺で所望の画像が形成される補正位置を特定し、補正位置で画像形成を行う請求項１５に記載の液滴吐出方法。
【請求項１８】
前記インクジェットヘッド位置決定工程は、前記不良ノズルと前記記録媒体の相対的な位置関係により形成される画像のパターンを判断し、前記記録媒体同士の画像形成の間に移動できる距離内で、最も好ましい画像を形成することができる位置に移動させる請求項１７に記載の液滴吐出方法。
【手続補正書】
【提出日】平成26年9月11日(2014.9.11)
【手続補正１】
【補正対象書類名】明細書
【補正対象項目名】発明の名称
【補正方法】変更
【補正の内容】
【発明の名称】受電装置
【手続補正２】
【補正対象書類名】特許請求の範囲
【補正対象項目名】全文
【補正方法】変更
【補正の内容】
【特許請求の範囲】
【請求項１】
交流電力を受け取る機能を有する受電素子と、
前記受電素子が受け取った交流電力を直流電力に変換する機能を有する整流回路と、
前記整流回路で変換された直流電力の電流を平滑化する機能を有する平滑化回路と、
前記平滑化された直流電力の電圧値を別の電圧値に変換する機能を有する電圧変換回路と、
前記電圧変換回路に入力される直流電力の電圧値及び電流値を取得し、前記取得された電圧値及び電流値からインピーダンスを計算して、前記電圧変換回路の出力電圧及び出力電流を制御するパルス幅変調信号を生成する機能を有する制御回路と、
前記電圧変換回路の出力電圧及び出力電流が入力される機能を有する負荷と、を有し、
前記パルス幅変調信号のデューティ比は、前記制御回路により計算されたインピーダンスが、前記受電素子が受け取った交流電力の伝送効率が最大となるインピーダンスに近づくように決定されることを特徴とする受電装置。
【請求項２】
交流電力を受け取る機能を有する受電素子と、
前記受電素子が受け取った交流電力を直流電力に変換する機能を有する整流回路と、
前記整流回路で変換された直流電力の電流を平滑化する機能を有する平滑化回路と、
前記平滑化された直流電力の電圧値を別の電圧値に変換する機能を有する電圧変換回路と、
前記電圧変換回路に入力される直流電力の電圧値及び電流値を取得し、前記取得された電圧値及び電流値からインピーダンスを計算して、前記電圧変換回路の出力電圧及び出力電流を制御するパルス幅変調信号を生成する機能を有する制御回路と、
前記電圧変換回路の出力電圧及び出力電流が入力される機能を有するバッテリと、
前記バッテリへの充電を制御する機能を有する充電制御回路と、を有し、
前記パルス幅変調信号のデューティ比は、前記制御回路により計算されたインピーダンスが、前記受電素子が受け取った交流電力の伝送効率が最大となるインピーダンスに近づくように決定されることを特徴とする受電装置。
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
１ゲームに対して遊技媒体に基づく所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされ、入賞が発生したときに該発生した入賞に応じた数の遊技媒体が遊技者に付与され、
移行条件が成立したときに、１ゲームあたりの遊技媒体の期待増減率が１を超える期待増状態に移行するスロットマシンに１対１に対応して設けられ、該対応するスロットマシンに関する情報を遊技者に提供するために表示する情報表示装置であって、
前記賭数を特定可能な賭数情報と、前記入賞に応じて付与される遊技媒体の数を特定可能な付与情報と、前記移行条件が成立した場合に点灯制御される装飾部の点灯を検知するための光センサからの光センサ入力情報とを入力可能な情報入力手段と、
前記賭数情報に基づいてゲーム数を特定するゲーム数特定手段と、
前記情報入力手段に入力される情報に基づいて前記期待増状態への移行を判定する判定手段と、
前記判定手段における前記期待増状態への移行の判定に利用する利用判定方法を、前記ゲーム数特定手段が特定したゲーム数と、前記情報入力手段に入力される前記付与情報に基づいて前記期待増状態への移行を判定する第１の判定方法、または前記光センサ入力情報に基づいて前記期待増状態への移行を判定する第２の判定方法を含む複数の判定方法のうちから設定する設定手段と、
を備えた
ことを特徴とする情報表示装置。
【手続補正２】
【補正対象書類名】明細書
【補正対象項目名】０００２
【補正方法】変更
【補正の内容】
【０００２】
従来、遊技者にとって有利となる特別遊技状態であるボーナスの発生後に、リプレイ入賞が高確立で発生することで１ゲームあたりのメダルの期待増減率が１を超えるリプレイタイム状態（期待増状態）に所定確立にて突入するスロットマシンに関する情報を表示する情報表示装置として、これらスロットマシンにおけるボーナスの発生回数に対するリプレイタイム状態となった回数の割合、つまり、リプレイタイム発生確率を、リプレイタイム状態中においてスロットマシンから外部出力されるリプレイタイム（ＲＴ）中信号（期待増状態中信号）に基づいて集計して表示するものがある（例えば、特許文献１参照）。
【手続補正３】
【補正対象書類名】明細書
【補正対象項目名】０００４
【補正方法】変更
【補正の内容】
【０００４】
しかしながら、特許文献１にあっては、リプレイタイム状態（期待増状態）をスロットマシンから外部出力されるリプレイタイム（ＲＴ）中信号（期待増状態中信号）に基づいて特定するので、これらリプレイタイム（ＲＴ）中信号（期待増状態中信号）が出力されないスロットマシンについては、リプレイタイム状態（期待増状態）に関する情報を提供することができないという問題があった。
【手続補正４】
【補正対象書類名】明細書
【補正対象項目名】０００５
【補正方法】変更
【補正の内容】
【０００５】
本発明は、このような問題点に着目してなされたもので、対応するスロットマシンが期待増状態中信号を出力しないスロットマシンであっても、期待増状態に関する情報を提供することのできる情報表示装置を提供することを目的とする。
【手続補正５】
【補正対象書類名】明細書
【補正対象項目名】０００６
【補正方法】変更
【補正の内容】
【０００６】
上記課題を解決するために、本発明の請求項１に記載の情報表示装置は、
１ゲームに対して遊技媒体に基づく所定数の賭数を設定することによりゲームが開始可能となるとともに、各々が識別可能な複数種類の図柄を変動表示可能な可変表示装置に表示結果が導出表示されることにより１ゲームが終了し、該可変表示装置の表示結果に応じて入賞が発生可能とされ、入賞が発生したときに該発生した入賞に応じた数の遊技媒体が遊技者に付与され、
移行条件が成立したときに、１ゲームあたりの遊技媒体の期待増減率が１を超える期待増状態（段落［００９４］における、１ゲームあたりのメダルの期待増減率が１を超えるリプレイタイム）に移行するスロットマシンに１対１に（段落［００１８］における、スロットマシン１，１’，１”に対して１対１に対応設置）対応して設けられ、該対応するスロットマシンに関する情報を遊技者に提供するために表示する情報表示装置であって、
前記賭数を特定可能な賭数情報（段落［０１３９］における、賭数を特定可能な賭数情報となるメダルＩＮ信号）と、前記入賞に応じて付与される遊技媒体の数を特定可能な付与情報（段落［０１３９］における、入賞に応じて付与されるメダル数を特定可能な付与情報となるメダルＯＵＴ信号）と、前記移行条件が成立した場合に点灯制御される装飾部の点灯を検知するための光センサからの光センサ入力情報（段落［０７１６］における、点灯検知信号）とを入力可能な情報入力手段と、
前記賭数情報に基づいてゲーム数を特定するゲーム数特定手段（段落［０１５３］におけるメダルＩＮ信号の入力回数に基づく総ゲーム数をカウントする遊技情報テーブルや、段落［０３２６］における、ゲーム数が、メダルＩＮ信号の入力に応じて１づつ減算更新される部分）と、
前記情報入力手段に入力される情報に基づいて前記期待増状態への移行を判定する判定手段（段落［０３４２］、［０３４４］、［０３４６］、［０３４７］において、リプレイタイム（ＲＴ）移行と判定する部分）と、
前記判定手段における前記期待増状態への移行の判定に利用する利用判定方法を、前記ゲーム数特定手段が特定したゲーム数と、前記情報入力手段に入力される前記付与情報に基づいて前記期待増状態への移行を判定する第１の判定方法、または前記光センサ入力情報に基づいて前記期待増状態への移行を判定する第２の判定方法を含む複数の判定方法のうちから設定する設定手段（図２８における、と、「ＲＴ移行判定」の項目に、段落［０２４８］におけるベース判定やリプレイ発生率判定の判定方法が含まれている部分）と、
を備えた
ことを特徴としている。
この特徴によれば、対応するスロットマシンが期待増状態中信号を出力しないスロットマシンであっても、期待増状態に関する情報を提供することができる。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】